(57)【要約】【課題】ナースステーション内に設けられたナースコール用パーソナルコンピュータのモニタ表示画面に表示される全病室レイアウトを、モニタの設置方向に応じて変更表示する。【解決手段】ナースコール子機からの呼び出しが通報されるナースコール親機とともにナースステーション内に設けられたナースコール用パーソナルコンピュータ１２のＣＰＵ３０は、モニタ１２ａに取り付けられた地磁気測定用センサ２０にて特定されるモニタ設置方向に応じて、全病室レイアウトの中心座標と病室内の各病床の中心座標とを基準に全病室レイアウトを回転させて画像処理を行うことにより、モニタ設置方向に対応してナースコール用パーソナルコンピュータに記憶される少なくとも４つの異なる全病室レイアウトのうち、モニタ設置方向に応じて選択された何れか１つの全病室レイアウトをモニタ表示画面１２ａ’に自動的に変更表示できる。【選択図】　図２
2004064470.tif 000002
【特許請求の範囲】
【請求項１】
病室内の各病床に設けられたナースコール子機（１ａ〜４ａ、１ｂ〜４ｂ、・・・）からの呼び出しをナースコール制御機（１６）を介して呼出情報として送信し、ナースステーション内に設けられたナースコール親機（１１）にて前記呼出情報を通報し、前記ナースステーション内に設けられたナースコール用パーソナルコンピュータ（１２）に予め記憶されている全病室レイアウトとともに前記呼出情報を表示するナースコール装置であって、
前記ナースコール用パーソナルコンピュータのモニタ（１２ａ）に地磁気測定用センサ（２０）を取り付けて前記モニタの設置方向を特定することにより、前記ナースコール用パーソナルコンピュータの特定されたモニタ設置方向に応じて、前記ナースコール用パーソナルコンピュータのモニタ表示画面（１２ａ’）に前記全病室レイアウトを自動的に変更表示するためのＣＰＵ（３０）を有することを特徴とするナースコール装置。
【請求項２】
病室内の各病床に設けられたナースコール子機（１ａ〜４ａ、１ｂ〜４ｂ、・・・）からの呼び出しをナースコール制御機（１６）を介して呼出情報として送信し、ナースステーション内に設けられたナースコール親機（１１）にて前記呼出情報を通報し、前記ナースステーション内に設けられたナースコール用パーソナルコンピュータ（５２）に予め記憶されている全病室レイアウトとともに前記呼出情報を表示するナースコール装置であって、
前記ナースコール用パーソナルコンピュータに東・西・南・北等の少なくとも４つの設置方向を指定するスイッチ（６０）を取り付けてモニタ（５２ａ）の指定された設置方向を特定することにより、前記ナースコール用パーソナルコンピュータのモニタ設置方向に応じて、前記ナースコール用パーソナルコンピュータのモニタ表示画面（５２ａ’）に前記全病室レイアウトを手動で変更表示するＣＰＵ（６１）を有することを特徴とするナースコール装置。
【請求項３】
前記予め記憶されていた全病室レイアウトは、前記ナースコール用パーソナルコンピュータに記憶される前記全病室レイアウトの中心座標（Ｚ０）と前記病室内の各病床の中心座標（Ｚ１）とを基準に前記ナースコール用パーソナルコンピュータのモニタ設置方向に応じて回転させて前記モニタ表示画面に変更表示するように画像処理されるものであることを特徴とする請求項１または請求項２記載のナースコール装置。
【請求項４】
前記予め記憶されていた全病室レイアウトは、前記モニタ設置方向に対応して前記ナースコール用パーソナルコンピュータに記憶される少なくとも４つの異なる全病室レイアウトのうち、前記ナースコール用パーソナルコンピュータのモニタ設置方向に応じて選択された何れか１つの全病室レイアウトを前記モニタ表示画面に変更表示するように画像処理されるものであることを特徴とする請求項１または請求項２記載のナースコール装置。
【発明の詳細な説明】
【０００１】
【発明の属する技術分野】
本発明はナースコール装置に係り、特に、ナースステーション内の看護師による呼出元確認時の視認性を高め、看護業務の能率を向上させたナースコール装置に関する。
【０００２】
【従来の技術】
従来から、この種のナースコール装置として、図５の構成図に示すナースコール装置が提案されている。
【０００３】
図５の構成図に示すナースコール装置は、病室内、例えば、１０１号室内、１０２号室内、・・・の各病床、所定の位置に設けられたナースコール子機、ここでは、病室毎４台づつのナースコール子機１０１ａ〜１０４ａ、１０１ｂ〜１０４ｂ、・・・と、各病室の出入口近傍（付近）に設けられており、子機接続線Ｌ１０１ａ〜Ｌ１０４ａ、Ｌ１０１ｂ〜Ｌ１０４ｂ、・・・を介して接続されたナースコール子機１０１ａ〜１０４ａ、１０１ｂ〜１０４ｂ、・・・をそれぞれ制御するための集合廊下灯１１０ａ、１１０ｂ、・・・と、ナースステーション内に設けられたナースコール親機１１１および当該ナースコール親機にコンピュータ接続線Ｌ１１０を介して接続されたナースコール用パーソナルコンピュータ１１２と、医療従事者の主体をなす医師や看護師のうち、ここでは、病院内を巡回中の看護師により携帯されている複数の無線子機、例えば、ＰＨＳ端末等の無線子機１１３ａ、１１３ｂ、・・・と、無線子機１１３ａ、１１３ｂ、・・・をそれぞれ無線制御するための無線基地局１１４と、基地局接続線Ｌ１１１を介して接続された無線基地局１１４を制御するためのデジタル方式の交換機（以下、ＰＢＸという。）１１５と、廊下灯接続幹線Ｌ１１２を介して集合廊下灯１１０ａ、１１０ｂ、・・・、親機接続線Ｌ１１３を介してナースコール親機１１１、ＰＢＸ接続線Ｌ１１４を介してＰＢＸ１１５をそれぞれ接続する中継器として設けられており、接続された集合廊下灯１１０ａ、１１０ｂ、・・・、ナースコール親機１１１、ＰＢＸ１１５をそれぞれ制御するためのナースコール制御機１１６とで構成されている。
【０００４】
このように構成された従来例のナースコール装置において、病室内の患者、ここでは、１０１号室内でナースコール子機１０１ａが病床に設けられている患者からの通常呼び出し（ナースコール呼び出し）があった場合、ナースステーション内に設けられたナースコール親機１１１およびナースコール用パーソナルコンピュータ１１２のうち、ナースコール親機１１１では、ナースコール子機１０１ａより送信され、子機接続線Ｌ１０１ａ、集合廊下灯１１０ａ、廊下灯接続幹線Ｌ１１２、ナースコール制御機１１６、親機接続線Ｌ１１３を介して適宜、データ処理（詳述せず）され伝送されてくる呼出情報を受信し、受信した呼出情報に包含されている呼出種別、病室番号および子機番号に基づき、呼出元の病床を示す表示灯を、呼出種別をなす通常呼び出しに応じた表示色で点滅／点灯させるとともに、所定の呼出音、例えば、呼出種別をなす通常呼び出しに応じた呼出音をスピーカより鳴動させて呼出表示／発報を行う。一方、ナースコール用パーソナルコンピュータ１１２では、ナースコール子機１０１ａより送信され、子機接続線Ｌ１０１ａ、集合廊下灯１１０ａ、廊下灯接続幹線Ｌ１１２、ナースコール制御機１１６、親機接続線Ｌ１１３、ナースコール親機１１１、コンピュータ接続線Ｌ１１０を介して適宜、データ処理（詳述せず）され伝送されてくる呼出情報を受信し、受信した呼出情報に包含されている呼出種別、病室番号および子機番号に基づき、モニタ表示画面に予め表示されている全病室レイアウトを利用して、呼出元である１０１号室内のナースコール子機１０１ａに該当する病床を、呼出種別をなす通常呼び出しに応じた表示色で点滅／点灯させて呼出表示を行う。
【０００５】
また、１０１号室内でナースコール子機１０１ａが病床に設けられている患者からの通常呼び出しがあった場合、病院内を巡回中の看護師により携帯されている無線子機１１３ａ、１１３ｂ、・・・では、ナースコール子機１０１ａより送信され、子機接続線Ｌ１０１ａ、集合廊下灯１１０ａ、廊下灯接続幹線Ｌ１１２、ナースコール制御機１１６、ＰＢＸ接続線Ｌ１１４、ＰＢＸ１１５、基地局接続線Ｌ１１１、無線基地局１１４を介して適宜、データ処理（詳述せず）され伝送されてくる呼出情報を受信し、受信した呼出情報に包含されている無線子機番号と自端末に予め割り当てられている無線子機番号とを照合し、一致した場合にのみ、受信した呼出情報に包含されている呼出種別、表示データが有効であると判断して、呼出種別、病室番号および子機番号を表示部に表示させるとともに、所定の呼出音、例えば、呼出種別をなす通常呼び出しに応じた呼出音をスピーカより鳴動させて呼出表示／発報を行う。
【０００６】
【発明が解決しようとする課題】
しかしながら、従来例のナースコール装置では、ナースステーション内に設けられたナースコール用パーソナルコンピュータのモニタ表示画面に全病室レイアウトを表示させるにあたり、この全病室レイアウトは、モニタの設置方向に応じて変更せねばならず煩雑さを有するばかりでなく、呼出元確認時の視認性および看護業務の能率が低下する難点があった。
【０００７】
本発明は、上述の難点を解消するためになされたもので、ナースステーション内に設けられたナースコール用パーソナルコンピュータのモニタ表示画面に表示される全病室レイアウトを、モニタの設置方向に応じて自動的、または手動で変更表示できるナースコール装置を提供することを目的としている。
【０００８】
【課題を解決するための手段】
上述の目的を達成するため、本発明のナースコール装置は、病室内の各病床に設けられたナースコール子機からの呼び出しをナースコール制御機を介して呼出情報として送信し、ナースステーション内に設けられたナースコール親機にて呼出情報を通報し、ナースステーション内に設けられたナースコール用パーソナルコンピュータに予め記憶されている全病室レイアウトとともに呼出情報を表示する。ナースコール用パーソナルコンピュータのモニタに地磁気測定用センサを取り付けてモニタの設置方向を特定することにより、ナースコール用パーソナルコンピュータの特定されたモニタ設置方向に応じて、ナースコール用パーソナルコンピュータのモニタ表示画面に全病室レイアウトを自動的に変更表示するためのＣＰＵを有する。
【０００９】
このようなナースコール装置によれば、ナースコール子機からの呼び出しが通報されるナースコール親機とともにナースステーション内に設けられたナースコール用パーソナルコンピュータのＣＰＵは、モニタに取り付けられた地磁気測定用センサにて特定されたモニタ設置方向に応じて、モニタ表示画面に表示させる予め記憶されていた全病室レイアウトを自動的に変更表示できる。
【００１０】
また、本発明のナースコール装置は、病室内の各病床に設けられたナースコール子機からの呼び出しをナースコール制御機を介して呼出情報として送信し、ナースステーション内に設けられたナースコール親機にて呼出情報を通報し、ナースステーション内に設けられたナースコール用パーソナルコンピュータに予め記憶されている全病室レイアウトとともに呼出情報を表示する。ナースコール用パーソナルコンピュータに東・西・南・北等の少なくとも４つの設置方向を指定するスイッチを取り付けてモニタの指定された設置方向を特定することにより、ナースコール用パーソナルコンピュータのモニタ設置方向に応じて、ナースコール用パーソナルコンピュータのモニタ表示画面に全病室レイアウトを手動で変更表示するＣＰＵを有する。
【００１１】
このようなナースコール装置によれば、ナースコール子機からの呼び出しが通報されるナースコール親機とともにナースステーション内に設けられたナースコール用パーソナルコンピュータのＣＰＵは、当該パーソナルコンピュータに取り付けられたスイッチの操作により指定／特定されたモニタ設置方向に応じて、モニタ表示画面に表示させる予め記憶されていた全病室レイアウトを手動で変更表示できる。
【００１２】
また、本発明のナースコール装置において、予め記憶されていた全病室レイアウトは、ナースコール用パーソナルコンピュータに記憶される全病室レイアウトの中心座標と病室内の各病床の中心座標とを基準にナースコール用パーソナルコンピュータのモニタ設置方向に応じて回転させてモニタ表示画面に変更表示するように画像処理されるものである。
【００１３】
このようなナースコール装置によれば、ナースステーション内に設けられたナースコール用パーソナルコンピュータは、全病室レイアウトの中心座標と病室内の各病床の中心座標とを基準にナースコール用パーソナルコンピュータのモニタ設置方向に応じて全病室レイアウトを回転させて画像処理を行うことにより、予め記憶されていた全病室レイアウトをモニタ表示画面に変更表示できる。
【００１４】
また、本発明のナースコール装置において、予め記憶されていた全病室レイアウトは、モニタ設置方向に対応してナースコール用パーソナルコンピュータに記憶される少なくとも４つの異なる全病室レイアウトのうち、ナースコール用パーソナルコンピュータのモニタ設置方向に応じて選択された何れか１つの全病室レイアウトをモニタ表示画面に変更表示するように画像処理されるものである。
【００１５】
このようなナースコール装置によれば、ナースステーション内に設けられたナースコール用パーソナルコンピュータは、モニタ設置方向に対応してナースコール用パーソナルコンピュータに記憶される少なくとも４つの異なる全病室レイアウトのうち、モニタ設置方向に応じて選択された何れか１つの全病室レイアウトをモニタ表示画面に変更表示できる。
【００１６】
【発明の実施の形態】
以下、本発明のナースコール装置を適用した好ましい形態の実施例について、図面を参照して説明する。
【００１７】
図１は、本発明の一実施例によるナースコール装置を示す構成図である。
【００１８】
図１の構成図に示すナースコール装置は、病室番号が「１０１」、「１０２」、・・・のように予め割り当てられている１０１号室内、１０２号室内の各病床、所定の位置に設けられており、医療従事者をなす医師や看護師のうち、ここでは、ナースステーション内の看護師や後述する無線子機１３ａ、１３ｂ、・・・を携帯しながら病院内を巡回中の看護師に対して呼出種別が異なる呼び出し、例えば、通常呼び出し（ナースコール呼び出し）、緊急を要する緊急呼び出し等を病床の患者が行い、この患者が呼出相手先の看護師との間で通話を成立させるためのナースコール子機、ここでは、病室毎４台づつ設けられており、子機番号が「１」のナースコール子機１ａ、１ｂ、・・・、子機番号が「２」のナースコール子機２ａ、２ｂ、・・・、子機番号が「３」のナースコール子機３ａ、３ｂ、・・・、子機番号が「４」のナースコール子機４ａ、４ｂ、・・・と、各病室の出入口近傍（付近）に設けられており、子機接続線Ｌ１ａ〜Ｌ４ａ、Ｌ１ｂ〜Ｌ４ｂ、・・・を介して接続されているナースコール子機１ａ〜４ａ、１ｂ〜４ｂ、・・・からの呼出種別、子機番号が包含された呼出情報に、自端末にて設定（詳述せず）される病室番号および呼出相手先の端末としての親機番号を包含させた呼出情報を送信するための集合廊下灯１０ａ、１０ｂ、・・・と、ナースステーション内に設けられており、集合廊下灯１０ａ、１０ｂ、・・・からの呼出情報を受信して呼出表示／発報を行うとともに、この看護師が呼出元の患者との間で通話を成立させるためのナースコール親機１１と、コンピュータ接続線Ｌ１０を介して接続されたナースコール親機１１とともにナースステーション内に設けられており、予め記憶されていた全病室レイアウトおよび集合廊下灯１０ａ、１０ｂ、・・・からの呼出情報を表示するためのナースコール用パーソナルコンピュータ１２と、病院内を巡回中の看護師により携帯されており、集合廊下灯１０ａ、１０ｂ、・・・からの呼出情報を受信して呼出表示／発報を行うとともに、この看護師が呼出元の患者との間で通話を成立させるための複数の無線子機、例えば、ＰＨＳ端末等の無線子機１３ａ、１３ｂ、・・・と、無線子機１３ａ、１３ｂ、・・・をそれぞれ無線制御するための無線基地局１４と、基地局接続線Ｌ１１を介して接続された無線基地局１４を制御するためのデジタル方式の交換機（以下、ＰＢＸという。）１５と、廊下灯接続幹線Ｌ１２を介して集合廊下灯１０ａ、１０ｂ、・・・、親機接続線Ｌ１３を介してナースコール親機１１、ＰＢＸ接続線Ｌ１４を介してＰＢＸ１５をそれぞれ接続する中継器として設けられており、接続された集合廊下灯１０ａ、１０ｂ、・・・、ナースコール親機１１、ＰＢＸ１５をそれぞれ制御するためのナースコール制御機１６とで構成されている。
【００１９】
図２は、本発明の一実施例によるナースコール装置としてナースステーション内に設けられたナースコール用パーソナルコンピュータ１２の構成を示す説明図である。
【００２０】
図２の説明図に示すナースコール用パーソナルコンピュータ１２は、モニタ１２ａと当該モニタを表示制御するための本体部１２ｂと構成されている。また、ニタ１２ａには、モニタ設置方向を特定するための地磁気測定用センサ２０が取り付けられている。さらに、本体部１２ｂは、モニタ１２ａのモニタ表示画面１２ａ’に表示される全病室レイアウトを、地磁気測定用センサ２０にて特定されるモニタ設置方向に応じて自動的に変更表示させるためのＣＰＵ３０を有している。
【００２１】
このように構成された本発明の一実施例によるナースコール装置において、以下、具体的な動作について説明する。
【００２２】
図１の構成図において、病室内の患者、ここでは、１０１号室内でナースコール子機１ａが病床に設けられている患者が、ナースステーション内の看護師、または無線子機１３ａ、１３ｂ、・・・を携帯しながら病院内を巡回中の看護師に対して通常呼び出し（ナースコール呼び出し）を行い通話を成立させるために、ナースコール子機１ａにて所定の呼出操作を行うと、通常呼び出しを示す呼出種別、ナースコール子機１ａに予め割り当てられている子機番号「１」を包含した（アナログ方式の）呼出情報Ｓ１ａが子機接続線Ｌ１ａを介して集合廊下灯１０ａに伝送される。また、集合廊下灯１０ａは、ナースコール子機１ａからの呼出情報Ｓ１ａに１０１号室の病室番号「１０１」および呼出相手先の端末の親機番号を包含させ、所定の伝送フォーマットであるデジタル方式にデータ処理した呼出情報Ｓ１ａ’を廊下灯接続幹線Ｌ１２に送信するとともに、ナースコール制御機１６による制御（詳述せず）によって図示しない表示灯を所定のパターンで点滅／点灯させて呼出状態表示を行うことにより、１０１号室の出入口近傍（付近）にいる看護師等は、ナースコール子機１ａが病床に設けられている患者による通常呼出中であることを確認でき、この呼出情報Ｓ１ａ’は、廊下灯接続幹線Ｌ１２を介して集合廊下灯１０ａを除く集合廊下灯１０ｂ、・・・と、廊下灯接続幹線Ｌ１２を介してナースコール制御機１６とにそれぞれ伝送される。
【００２３】
また、集合廊下灯１０ａからの呼出情報Ｓ１ａ’が受信された集合廊下灯１０ｂ、・・・では、呼出情報Ｓ１ａ’に包含されている親機番号と自端末に予め割り当てられている病室番号とを照合するが、当該番号が不一致となることにより、この呼出情報Ｓ１ａ’が子機接続線Ｌ１ｂ〜Ｌ４ｂ、・・・を介して（自病室内の）ナースコール子機１ｂ〜４ｂ、・・・へ伝送されることはなく、ゆえに、これらナースコール子機１ｂ〜４ｂ、・・・では如何なる動作も行われない。
【００２４】
また、集合廊下灯１０ａからの呼出情報Ｓ１ａ’が受信されたナースコール制御機１６は、呼出情報Ｓ１ａ’に包含されている呼出種別、親機番号、病室番号「１０１」、子機番号「１」をそれぞれ検出し、この呼出情報Ｓ１ａ’を、親機接続線Ｌ１３を介してナースコール親機１１に送信するとともに、呼出種別、病室番号「１０１」と子機番号「１」とに該当した表示データおよび無線子機番号を包含させた呼出情報Ｓ１１ａを、ＰＢＸ接続線Ｌ１４、ＰＢＸ１５、基地局接続線Ｌ１１、無線基地局１４を介して無線子機１３ａ、１３ｂ、・・・にそれぞれ送信する。
【００２５】
また、ナースコール制御機１６からの呼出情報Ｓ１ａ’が受信されたナースコール親機１１は、呼出情報Ｓ１ａ’に包含されている親機番号と自端末に予め割り当てられている親機番号とを照合し、一致を検出することにより、この呼出情報Ｓ１ａ’に包含されている呼出種別、病室番号「１０１」および子機番号「１」に基づき、呼出元の病床を示す表示灯を、呼出種別をなす通常呼び出しに応じた表示色で点滅／点灯させるとともに、所定の呼出音、例えば、呼出種別をなす通常呼び出しに応じた呼出音をスピーカより鳴動させて呼出表示／発報を行うのと同時に、コンピュータ接続線Ｌ１０を介してナースコール用パーソナルコンピュータ１２に呼出情報Ｓ１ａ’を送信する。
【００２６】
さらに、ナースコール制御機１６からの呼出情報Ｓ１１ａが受信された無線子機１３ａ、１３ｂ、・・・では、呼出情報Ｓ１１ａに包含されている無線子機番号と自端末に予め割り当てられている無線子機番号とを照合させ、当該番号が一致した場合にみ、この呼出情報Ｓ１ａ’に包含されている表示データ、呼出種別が有効であると判断し、呼出種別、病室番号「１０１」および子機番号「１」を表示部に表示させるとともに、所定の呼出音、例えば、呼出種別をなす通常呼び出しに応じた呼出音をスピーカより鳴動させて呼出表示／発報を行う。
【００２７】
図２の説明図において、ナースコール制御機１６からの呼出情報Ｓ１ａ’が受信されたナースコール用パーソナルコンピュータ１２の本体部１２ｂは、当該本体部に予め記憶されているモニタ１２ａの設置方向（以下、モニタ設置方向という。）、例えば、東・西・南・北等のように少なくとも４つの方向毎でレイアウトが異なる全病室レイアウトのうち、モニタ１２ａに取り付けられた地磁気測定用センサ２０にて特定されるモニタ設置方向を検出したＣＰＵ３０の制御により選択された何れか１つの全病室レイアウト、すなわち、モニタ設置方向が東方向の場合には図４（ａ）の画面構成図に示す全病室レイアウトを、西方向の場合には図４（ｂ）の画面構成図に示す全病室レイアウトを、南方向の場合には図４（ｃ）の画面構成図に示す全病室レイアウトを、北方向の場合には図４（ｄ）の画面構成図に示す全病室レイアウトを、モニタ１２ａのモニタ表示画面１２ａ’に表示させるとともに、表示された全病室レイアウトのうち、呼出元である１０１号室内のナースコール子機１ａに該当する病床を、呼出種別をなす通常呼び出しに応じた表示色で点滅／点灯させる。
【００２８】
なお、ナースコール用パーソナルコンピュータ１２において、モニタ１２ａのモニタ表示画面１２ａ’には、呼出元の患者の患者情報、すなわち、１０１号室内でナースコール子機１ａが病床に設けられている患者の患者情報をポップアップで表示させることもできる（詳述せず）。
【００２９】
また、ナースコール用パーソナルコンピュータ１２のモニタ１２ａのモニタ設置方向が、例えば、東方向であり、図４（ａ）の画面構成図に示す全病室レイアウトがモニタ表示画面１２ａ’に予め表示されている場合において、ナースステーション内の看護師がモニタ設置方向を変更、例えば、東方向から西方向に変更すると、モニタ１２ａに取り付けられた地磁気測定用センサ２０にてモニタ設置方向の変更が西方向であると特定され、これを検出した本体部１２ｂのＣＰＵ３０は、当該本体部に記憶されている全病室レイアウトの中心座標Ｚ０および病室内の各病床の中心座標Ｚ１（１０１号室のみ図示）のうち、ここでは、全病室レイアウトの中心座標Ｚ０を時計回りに１８０°回転させた後、病室内の各病床の中心座標Ｚ１を時計回りに１８０°回転させて画像処理を行うことにより、モニタ表示画面１２ａ’に表示させる全病室レイアウトを、図４（ａ）の画面構成図に示す全病室レイアウトから図４（ｂ）の画面構成図に示す全病室レイアウトへ自動的に変更表示できる。
【００３０】
さらに、上述の呼出表示／発報に基づき、１０１号室内でナースコール子機１ａが病床に設置されている患者からの通常呼び出しがあることを確認したナースステーション内の看護師および病院内を巡回中の看護師のうち、最先に応答した看護師は、呼出元の患者との通話を成立させることができる（詳述せず）。
【００３１】
上述のように、本発明の一実施例によるナースコール装置では、ナースステーション内に設けられたナースコール用パーソナルコンピュータ１２のモニタ１２ａのモニタ１２ａに取り付けられた地磁気測定用センサ２０にて特定されるモニタ設置方向に応じて、本体部１２ｂに記憶されている全病室レイアウトの中心座標Ｚ０と病室内の各病床の中心座標Ｚ１とを基準に全病室レイアウトを回転させるようにＣＰＵ３０が画像処理を行うことにより、モニタ１２ａのモニタ表示画面１２ａ’に表示させる全病室レイアウトを自動的に変更表示できたが、ナースステーション内の看護師が上述の全病室レイアウトを手動で変更表示できるナースコール装置を、以下、本発明の他の実施例として、図面を参照して説明する。
【００３２】
また、本発明の他の実施例によるナースコール装置では、図１の構成図に示すナースコール装置の構成各部のうち、ナースステーション内に設けられたナースコール用パーソナルコンピュータ５２のみ構成を異とし、他の構成各部については、本発明の一実施例によるナースコール装置と同様な構成／接続であることにより、ナースコール用パーソナルコンピュータ５２を除く構成各部についての説明は省略する。
【００３３】
図３は、本発明の他の実施例によるナースコール装置としてナースステーション内に設けられたナースコール用パーソナルコンピュータ５２の構成を示す説明図である。
【００３４】
図３の説明図に示すナースコール用パーソナルコンピュータ５２は、モニタ５２ａと当該モニタを表示制御するための本体部５２ｂとで構成されている。また、本体部５２ｂには、東・西・南・北等の少なくとも４つのモニタ設置方向を指定／特定するためのスイッチ６０が取り付けられているとともに、モニタ５２ａのモニタ表示画面５２ａ’に表示される全病室レイアウトを、スイッチ６０の操作により指定／特定されたモニタ設置方向に応じて手動で変更表示させるためのＣＰＵ６１を有する。
【００３５】
このように構成された本発明の他の実施例によるナースコール装置において、以下、具体的な動作について説明する。
【００３６】
なお、図１の構成図において、病室内の患者、ここでは、１０１号室内でナースコール子機１ａが病床に設置されている患者が、ナースステーション内の看護師、または無線子機１３ａ、１３ｂ、・・・を携帯しながら病院内を巡回中の看護師に対して通常呼び出し（ナースコール呼び出し）を行い通話を成立させるために、ナースコール子機１ａにて所定の呼出操作を行った場合、ナースコール親機１１および無線子機１３ａ、１３ｂ、・・・にてそれぞれ行われる呼出表示／発報は、上述の本発明の一実施例によるナースコール装置の該当動作と同様であることにより説明は省略する。
【００３７】
図３の説明図において、上述の本発明の一実施例によるナースコール装置の該当動作と同様、ナースコール制御機１６からの呼出情報Ｓ１ａ’が受信されたナースコール用パーソナルコンピュータ５２の本体部５２ｂは、当該本体部に予め記憶されているモニタ５２ａのモニタ設置方向、例えば、東・西・南・北等のように少なくとも４つの方向毎でレイアウトが異なる全病室レイアウトのうち、本体部５２ｂに取り付けられたスイッチ６０にて指定／特定されるモニタ設置方向を検出したＣＰＵ６１の制御により選択された何れか１つの全病室レイアウト、すなわち、モニタ設置方向が東方向の場合には図４（ａ）の画面構成図に示す全病室レイアウトを、西方向の場合には図４（ｂ）の画面構成図に示す全病室レイアウトを、南方向の場合には図４（ｃ）の画面構成図に示す全病室レイアウトを、北方向の場合には図４（ｄ）の画面構成図に示す全病室レイアウトを、モニタ５２ａのモニタ表示画面５２ａ’に表示させるとともに、表示された全病室レイアウトのうち、呼出元である１０１号室内のナースコール子機１ａに該当する病床を、呼出種別をなす通常呼び出しに応じた表示色で点滅／点灯させる。
【００３８】
なお、ナースコール用パーソナルコンピュータ５２において、モニタ５２ａのモニタ表示画面５２ａ’には、呼出元の患者の患者情報、すなわち、１０１号室内でナースコール子機１ａが病床に設けられている患者の患者情報をポップアップで表示させることもできる（詳述せず）。
【００３９】
また、ナースコール用パーソナルコンピュータ５２のモニタ５２ａのモニタ設置方向が、例えば、東方向であり、図４（ａ）の画面構成図に示す全病室レイアウトがモニタ表示画面５２ｂ’に予め表示されている場合において、ナースステーション内の看護師がモニタ設置方向を変更、例えば、東方向から西方向に変更させた後、本体部５２ｂに取り付けられたスイッチ６０の該当部を操作すると、この操作を検出したＣＰＵ６１は、当該本体部に記憶されている全病室レイアウトの中心座標Ｚ０および病室内の各病床の中心座標Ｚ１（１０１号室のみ図示）のうち、ここでは、全病室レイアウトの中心座標Ｚ０を時計回りに１８０°回転させた後、病室内の各病床の中心座標Ｚ１を時計回りに１８０°回転させて画像処理を行うことにより、モニタ表示画面５２ａ’に表示させる全病室レイアウトを、図４（ａ）の画面構成図に示す全病室レイアウトから図４（ｂ）の画面構成図に示す全病室レイアウトへ自動的に変更表示できる。
【００４０】
上述のように、本発明の他の実施例によるナースコール装置では、ナースステーション内に設けられたナースコール用パーソナルコンピュータ５２の本体部５２ｂに取り付けられたスイッチ６０の操作により指定／特定されるモニタ設置方向に応じて、当該本体部に記憶されている全病室レイアウトの中心座標Ｚ０と病室内の各病床の中心座標Ｚ１とを基準に全病室レイアウトを回転させるようにＣＰＵ６１が画像処理を行うことにより、モニタ５２ａのモニタ表示画面５２ａ’に表示させる全病室レイアウトを手動で変更表示できる。
【００４１】
なお、本発明の一実施例および他の実施例によるナースコール装置では、図２、図３の各説明図に示すように、ナースステーション内に設けられたナースコール用パーソナルコンピュータとして、モニタ１２ａ、５２ａと本体部１２ｂ、５２ｂとが分離されて構成されるナースコール用パーソナルコンピュータ１２、５２を適用させたが、モニタと本体部とが一体的に構成されるナースコール用パーソナルコンピュータ、例えば、ノート型のナースコール用パーソナルコンピュータも好適である。
【００４２】
また、本発明の一実施例によるナースコール装置では、図２の説明図に示すように、ナースコール用パーソナルコンピュータ１２のモニタ１２ａに取り付けられた地磁気測定用センサ２０にて特定されるモニタ設置方向を、東・西・南・北の４つの方向とし、本体部１２ｂに予め記憶されている方向毎でレイアウトが異なる全病室レイアウトのうち、モニタ１２ａのモニタ設置方向を検出したＣＰＵ３０の制御により選択された図４（ａ）〜（ｄ）の各画面構成図に示す何れか１つの全病室レイアウトをモニタ表示画面１２ａ’に表示させたが、モニタ設置方向は上述の４つの方向に限定されず、東北・西北・東南・西南、・・・のように、より細かな方向毎でレイアウトが異なる全病室レイアウトを本体部１２ｂに予め記憶させることにより、地磁気測定用センサ２０にてモニタ設置方向を精細に特定でき、これを確認するナースステーション内の看護師による呼出元確認時の視認性がさらに高められ、看護業務の能率が向上する。
【００４３】
また、本発明の他の実施例によるナースコール装置では、図３の説明図に示すように、ナースコール用パーソナルコンピュータ５２の本体部５２ｂに取り付けられたスイッチ６０にて指定／特定されるモニタ設置方向を、東・西・南・北の４つの方向とし、当該本体部に予め記憶されている方向毎でレイアウトが異なる全病室レイアウトのうち、モニタ５２ａのモニタ設置方向を検出したＣＰＵ６１の制御により選択された図４（ａ）〜（ｄ）の各画面構成図に示す何れか１つの全病室レイアウトをモニタ表示画面５２ａ’に表示させたが、モニタ設置方向は上述の４つの方向に限定されず、東北・西北・東南・西南、・・・のように、より細かな方向毎でレイアウトが異なる全病室レイアウトを本体部５２ｂに予め記憶させることにより、スイッチ６０にてモニタ設置方向を精細に指定／特定でき、これを確認するナースステーション内の看護師による呼出元確認時の視認性がさらに高められ、看護業務の能率が向上する。
【００４４】
さらに、本発明の一実施例および他の実施例によるナースコール装置では、図２、図３の各説明図に示すように、ナースコール用パーソナルコンピュータ１２、５２のモニタ１２ａ、５２ａのモニタ設置方向の変更を検出した本体部１２ｂ、５２ｂのＣＰＵ３０、６１が全病室レイアウトをモニタ表示画面１２ａ’、５２ｂ’に変更表示させて画像処理を行うにあたり、当該本体部に記憶されている全病室レイアウトの中心座標Ｚ０および病室内の各病床の中心座標Ｚ１のうち、全病室レイアウトの中心座標Ｚ０を回転させた後、病室内の各病床の中心座標Ｚ１（１０１号室のみ図示）を回転させるような画像処理手段を適用したが、病室内の各病床の中心座標Ｚ１を回転させた後、全病室レイアウトの中心座標Ｚ０を回転させるような画像処理手段も好適である。
【００４５】
【発明の効果】
以上の説明から明らかなように、本発明のナースコール装置によれば、ナースステーション内に設けられたースコール用パーソナルコンピュータにおいて、モニタのモニタ表示画面に表示される全病室レイアウトを、モニタ設置方向に応じて自動的、または手動で変更表示できることにより、全病室内レイアウトとモニタ表示画面に表示されるレイアウトの相異が解消され、ナースステーション内の看護師による呼出元確認時の視認性が高められ、看護業務の能率が向上する。
【図面の簡単な説明】
【図１】本発明の一実施例および他の実施例によるナースコール装置を示す構成図である。
【図２】本発明の一実施例によるナースコール装置としてナースステーション内に設けられたナースコール用パーソナルコンピュータの構成を示す説明図である。
【図３】本発明の他の実施例によるナースコール装置としてナースステーション内に設けられたナースコール用パーソナルコンピュータの構成を示す説明図である。
【図４】本発明の一実施例および他の実施例によるナースコール装置としてナースステーション内に設けられたナースコール用パーソナルコンピュータのモニタ表示画面に表示される全病室レイアウトの表示例を示す画面構成図で、同図（ａ）はモニタ設置方向が東方向の場合の画面構成図、同図（ｂ）はモニタ設置方向が西方向の場合の画面構成図、同図（ｃ）はモニタ設置方向が南方向の場合の画面構成図、同図（ｄ）はモニタ設置方向が北方向の場合の画面構成図である。
【図５】従来例のナースコール装置を示す構成図である。
【符号の説明】
１ａ〜４ａ、１ｂ〜４ｂ、・・・　・・・・・ナースコール子機
１１・・・・・ナースコール親機
１２、５２・・・・・ナースコール用パーソナルコンピュータ
１２ａ、５２ａ・・・・・モニタ
１２ａ’、５２ａ’・・・・・モニタ表示画面
１６・・・・・ナースコール制御機
２０・・・・・地磁気測定用センサ
３０、６１・・・・・ＣＰＵ
６０・・・・スイッチ
Ｚ０・・・・・全病室レイアウトの中心座標
Ｚ１・・・・・病室内の各病床の中心座標
【図１】
2004064470.tif 000003
【図２】
2004064470.tif 000004
【図３】
2004064470.tif 000005
【図４】
2004064470.tif 000006
【図５】
2004064470.tif 000007